(57)【要約】【課題】採光面積を大きくできる上げ下げ窓を提供する。【解決手段】上げ下げ窓１は、障子７と、枠３と、内倒しラッチ２３を備え、内倒しラッチ２３は、縦框２１の上端に取り付けてあり、ハウジング２５と、ラッチボルト２７と、ラッチボルト２７の出没を操作する操作部２９を有し、操作部２９はスライド移動するものであり、ラッチボルト２７は、ハウジング２５から縦枠３ｃ内に常時突出するようにバネ３１で付勢してあり、バネ３１はラッチボルト２７の後端部２７ｂを押圧する作用点３１ｂと、支点３１ａを有し、バネ３１の支点３１ａは、ラッチボルト２７の移動領域Ｓからずれた位置に設けてある。【選択図】図１
2019132123.tif 000002
【特許請求の範囲】
【請求項１】
障子と、枠と、内倒しラッチを備え、内倒しラッチは、縦框上端に取り付けてあり、ハウジングと、ラッチボルトと、ラッチボルトの出没を操作する操作部を有し、操作部はスライド移動するものであり、ラッチボルトはハウジングから縦枠内に常時突出するようにバネで付勢してあり、バネはラッチボルトの後端部を押圧する作用点と、支点を有し、バネの支点はラッチボルトの移動領域からずれた位置に設けてあることを特徴とする上げ下げ窓。
【請求項２】
障子と、枠と、内倒しラッチを備え、内倒しラッチは、縦框上端に取り付けてあり、ハウジングと、ラッチボルトと、ラッチボルトの出没を操作する操作部を有し、ラッチボルトはハウジングから縦枠内に常時突出するようにバネで付勢してあり、操作部は、ラッチボルトと一体に形成してあり、ラッチボルトを没入操作したときにハウジングから上框側に突出して上框上面をスライド移動することを特徴とする上げ下げ窓。
【発明の詳細な説明】
【技術分野】
【０００１】
本発明は、上げ下げ窓に関する。  
【背景技術】
【０００２】
特許文献１には、障子の縦框上端に内倒しラッチを設けた上げ下げ窓が開示されている。  
この特許文献１の上げ下げ窓では、内倒しラッチのラッチボルトは、常時縦枠内へ突出するようにバネで付勢してあり、ラッチボルトの出没を操作する操作部をスライド操作することで、ラッチボルトを縦枠から引き込ませることが開示されている。
【先行技術文献】
【特許文献】
【０００３】
【特許文献１】特開２００６−１８３３１０号公報
【発明の概要】
【発明が解決しようとする課題】
【０００４】
しかし、特許文献１の上げ下げ窓では、内倒しラッチを設けた縦框に所定寸法以上の見付が必要な為、窓の採光面積に限界があった。  
一方、採光面積が大きい上げ下げ窓が求められていた。  
【０００５】
そこで、本発明は、採光面積を大きくできる上げ下げ窓の提供を目的とする。
【課題を解決するための手段】
【０００６】
請求項１に記載の発明は、障子と、枠と、内倒しラッチを備え、内倒しラッチは、縦框上端に取り付けてあり、ハウジングと、ラッチボルトと、ラッチボルトの出没を操作する操作部を有し、操作部はスライド移動するものであり、ラッチボルトはハウジングから縦枠内に常時突出するようにバネで付勢してあり、バネはラッチボルトの後端部を押圧する作用点と、支点を有し、バネの支点はラッチボルトの移動領域からずれた位置に設けてあることを特徴とする上げ下げ窓である。
【０００７】
請求項２に記載の発明は、  障子と、枠と、内倒しラッチを備え、内倒しラッチは、縦框上端に取り付けてあり、ハウジングと、ラッチボルトと、ラッチボルトの出没を操作する操作部を有し、ラッチボルトはハウジングから縦枠内に常時突出するようにバネで付勢してあり、操作部は、ラッチボルトと一体に形成してあり、ラッチボルトを没入操作したときにハウジングから上框側に突出して上框上面をスライド移動することを特徴とする上げ下げ窓である。
【発明の効果】
【０００８】
請求項１に記載の発明によれば、ラッチボルトをハウジングから縦枠内へ常時突出するように付勢するバネは、ラッチボルトを押圧する作用点に対して、支点がラッチボルトの移動領域からずれた位置に設けているので、ラッチボルトの移動領域内で伸縮するコイルバネ等（移動領域内に支点と作用点を有するバネ）を配置する場合に比較して、縦框の見付を細くできるから、框内周側の採光面積を大きくできる。  
【０００９】
請求項２に記載の発明によれば、ラッチボルトに一体形成した操作部は、ラッチボルトの没入時に縦框を越えて上框上面をスライド移動するから、ラッチボルトを没入する為の操作部の移動範囲が縦框に限定されないから、縦框の見付を細くできるので、框内周側の採光面積を大きくできる。  
【図面の簡単な説明】
【００１０】
【図１】図５に示す本実施の形態にかかる上げ下げ窓のＥ−Ｅ断面図である。
【図２】図１に示すＭ−Ｍ断面図である。
【図３】図５に示す本実施の形態にかかる上げ下げ窓のＦ−Ｆ断面図である。
【図４】図５に示す本実施の形態にかかる上げ下げ窓において、室内側障子を内倒した状態を示す縦断面図である。
【図５】本実施の形態にかかる上げ下げ窓を室内側から見た正面図である。
【図６】内倒しラッチの図であり、（ａ）は平面図、（ｂ）は正面図、（ｃ）は背面図、（ｄ）は右側面図、（ｅ）は正面側を斜め上から見た斜視図、（ｆ）背面側を斜め下から見た斜視図であり、（ｇ）はラッチボルトを没入操作した状態の正面側を斜め上から見た斜視図である。
【図７】内倒しラッチのハウジングの図であり、（ａ）は正面側を斜め上から見た斜視図、（ｂ）は背面側を斜め下から見た斜視図である。
【図８】ラッチボルト及び操作部一体品の図であり、（ａ）はラッチボルトの先端側を斜め上から見た斜視図、（ｂ）はラッチボルトの後端側を斜め上から見た斜視図、（ｃ）はラッチボルトの先端側を斜め下から見た斜視図、（ｄ）はラッチボルトの後端側を斜め下から見た斜視図、（ｅ）は（ａ）に示すＣ−Ｃ断面をＤ側から見た断面図である。
【図９】バネの図であり、（ａ）は平面図、（ｂ）は正面である。
【図１０】タイト材の図であり、（ａ）は装着部側を斜め上から見た斜視図、（ｂ）はタイト部側を斜め上から見た斜視図、（ｃ）はタイト部側を斜め下から見た斜視図、（ｄ）は装着部側を斜め下から見た斜視図である。
【発明を実施するための形態】
【００１１】
以下に、添付図面を参照して本発明の実施の形態について説明する。
図５に示すように、本実施の形態にかかる上げ下げ窓１は、枠３と、外障子５と、内障子（障子）７とを備えており、外障子５は固定障子であり、内障子７は上下に移動可能な可動障子である。また、図４に示すように、内障子７は室内側へ倒して開閉自在としてある。尚、図３に示すように、閉じ位置にある内障子７の室外側には網戸１１が設けてある。  
図５に示すように、枠３は、上枠３ａ、下枠３ｂ及び左右の縦枠３ｃ、３ｃを枠組みしてあり、左右の縦枠３ｃ、３ｃの各上端部と上枠３ａに亘ってバランサー９が設けてある。バランサー９が巻き取るワイヤー１０の下端部は、内障子７の下端部７ａに連結してある。バランサー９は内障子７の重量との均衡を図るものであり、内障子７を上下にスライドしたときに任意の位置で停止できるようにしたものである。  
また、枠３は断熱枠であり、図１及び図３にハッチで示すように、各上枠３ａ、下枠３ｂ及び左右の縦枠３ｃ、３ｃの室内側部分４は樹脂材製としてある。図１に示すように、左右の縦枠３ｃ、３ｃには、内障子７の移動を案内する案内溝１３が上下方向に沿って形成してある。  
内障子７の上框１７にはその左右方向中央部に外障子５の下框に設けた引き寄せ部材４７に係合する引き寄せ具４９が設けてある。  
【００１２】
図５に示すように、内障子７は、框１５と、框１５の内周側に設けたガラス１６を有し、框１５は上框１７と、下框１９と左右の縦框２１、２１を框組みしてあり、左右の縦框２１、２１間に上框１７と下框１９とが取り付けてある。図１及び図３に示すように、内障子７の框１５の室内側部分１４は、ハッチで示すように樹脂材製であり、断熱構造としてある。  
図５に示すように、左右の縦框２１、２１には、各々対応する縦枠３ｃ、３ｃに係合し、内障子７を室内側へ倒す（図４参照）ときには縦枠３ｃ、３ｃとの係合を解除する内倒しラッチ２３が設けてあるが、各内倒しラッチ２３の構成及び取り付け構造は同じであるから、以下の説明では右縦框（室内側から見て右側の框）２１の内倒しラッチ２３について説明する。  
【００１３】
内倒しラッチ２３は縦框２１の上端に取り付けてあり、図１及び図２に示すように、ハウジング２５と、ラッチボルト２７と、ラッチボルト２７の出没を操作する操作部２９を備えている。  
図２及び図６に示すように、ラッチボルト２７はハウジング２５に設けたラッチボルト収納部３３内を移動自在に設けてあり、ハウジング２５内に設けたバネ３１により先端部２７ａを常時ハウジング２５から突出するように付勢されている。図１に示すように、ラッチボルト２７の先端部２７ａはその突出位置では縦枠３ｃの案内溝１３内に位置し、没入位置ではハウジング２５内に位置して案内溝１３から外れる。ラッチボルト２７の移動領域Ｓは、ラッチボルト２７が出没するときにラッチボルト収納部３３内を左右に移動する領域である。  
【００１４】
図１及び図６（ａ）に示すように、バネ３１は、支点３１ａと作用点３１ｂとを有するものであり、本実施の形態ではトーションコイルバネである。バネ３１は、弾性線材を巻いた巻き部を支点３１ａとしてあり、支点３１ａから延出する一側部３２の先端側を作用点３１ｂとしてあり、支点３１ａから延出する他側部３４をハウジング２５の係止部２５ａ（図２参照）に当接させて係止してある。  
図６（ａ）に示すように、ラッチボルト２７の後端部２７ｂの端面には、バネ３１の一側部３２の延出方向に沿って傾斜した傾斜面２８が設けてある。また、図２に示すように、ラッチボルト２７の後端部２７ｂはバネ３１の作用点３１ｂの上方に突き出るように傾斜した傾斜部２７ｃが形成してあり、作用点３１ｂの位置ずれを防止してある。尚、左縦框２１に取り付ける内倒しラッチ２３では傾斜部２７ｃは作用点３１ｂの下方に突き出るように傾斜している。  
バネ３１の支点３１ａはハウジング２５に形成してあるボス３７（図７参照）に嵌合して止めてある。支点３１ａはラッチボルト収納部３３（ラッチボルト２７の移動領域Ｓ）よりも室外側に位置しており、ラッチボルト収納部３３からずれた位置にある。  
バネ３１の一側部３２と他側部３４とは各々その先端を互いに対向する側に向けて屈曲してある。  
図７に示すように、ハウジング２５において、ラッチボルト収納部３３には、ラッチボルト２７の後端部２７ｂの上側を覆う上遮蔽部３６ａと、下側を覆う下遮蔽部３６ｂが形成してある。  
【００１５】
図２及び図８に示すように、操作部２９とラッチボルト２７は一体に形成してあり、操作部２９はハウジング２５の上面にラッチボルト２７と共にスライド自在に設けてあり、ラッチボルト２７の先端部２７ａ側に位置する先端部２９ａと、ラッチボルト２７の後側に位置する後端部２９ｂを有し、ラッチボルト２７の没入位置では操作部２９の後端部２９ｂが上框１７の上面に乗り上げて位置するようにしてある。  
図７に示すように、ハウジング２５の上面には、操作部２９の移動を案内する操作部案内溝３８が形成してあり、操作部案内溝３８はハウジング上面から凹んで形成されている。操作部案内溝３８の先端側には溝底部が設けてあり、この溝底部は上述した上遮蔽部３６ａである。操作部案内溝３８とラッチボルト収納部３３とは連通孔４０により連通してある。図２に示すように、この連通孔４０は、ラッチボルト２７が突出位置にあるときには、操作部２９の後端部２９ｂで覆い、没入位置にあるときには先端部２９ａで覆う。  
また、ハウジング２５は、縦框２１の見込面２１ａに取り付ける取付部２５ｂを有し、取付部２５ｂをネジ３９で縦框２１に固定してある。  
図７（ｂ）に示すように、ラッチボルト収納部３３の隣りには、バネ装着部４１が設けてあり、ラッチボルト収納部３３とバネ装着部４１とは側部開口３３ａにより連通しており、バネ装着部４１には前述したボス３７が設けてある。そして、バネ収納部４１に取り付けたバネ３１の一側部３２を側部開口３３ａからラッチボルト収納部３３に延出するようにしてある。  
【００１６】
また、図１及び図６に示すように、ハウジング２５には、止水部材４５が取り付けてある。止水部材４５は、外障子５の縦框５ａの室内側面に当接して、縦框５ａとの間の水密を図るものであり、室外側に突設した止水片４５ａが設けてある。この止水部材４５には、ハウジング２５のバネ装着部４１の下側を覆う蓋部４５ｂが設けてあり、止水部材４５をハウジング２５に取り付けたときに、蓋部４５ｂでバネ装着部４１の開口を塞ぐようにしてある。  
【００１７】
内倒しラッチ２３の組み立ては、ハウジング２５のラッチボルト収納部３３に後側からラッチボルト２７を挿入すると共にラッチボルト２７と一体形成してある操作部２９をハウジング２５の操作部案内溝３８に装着する。ハウジング２５のバネ装着部４１の開口からバネ３１を挿入して、一側部３２をラッチボルト２７の後端部２７ｂに配置し、他側部４２をハウジング２５の係止部２５ａに当接させて、バネ３１の支点３１ａをボス３７に装着する。その後、止水部材４５をハウジング２５に取り付け、止水部材４５の蓋部４５ｂでバネ装着部４１の開口を塞ぐ。  
このようにして組み立てた内倒しラッチ２３では、ラッチボルト２７の後端部２７ｂはバネ３１により常時付勢されて、ラッチボルト２７の先端部２７ａはハウジング２５から突出した状態にある。  
そして、図２に示すように、内倒しラッチ２３を内障子の各縦框２１、２１の上端に配置して、内倒しラッチ２３の取付部２５ｂを縦框２１の見込面に当ててねじ３９で縦框２１に取り付ける。  
内倒しラッチ２３を縦框２１に取り付けた状態では、操作部２９はその後端部２９ｂが上框１７の上面に乗った状態にしてある。  
【００１８】
次に、内障子７の内倒し操作について説明する。  
内障子７が上げ下げ窓１の全開位置、全閉位置及び上げ下げ操作をしているときには、図１に示すように、内倒しラッチ２３ではラッチボルト２７の先端部２７ａは縦枠３ｃの案内溝１３内に突出した位置にある。  
上げ下げ窓１において、内障子７を内倒しする場合には、図２に二点鎖線で示すと共に図６（ｇ）で示すように、操作部２９をハウジング２５から上框１７側に突出して上框１７の上面を移動するように縦枠３ｃから離れる側へスライド操作する。  
操作部２９のスライド操作により、操作部２９と一体に設けてあるラッチボルト２７はバネ３１の作用点３１ｂの付勢力に抗してハウジング２５内に没入し、ラッチボルト２７の先端部２７ａが縦枠３ｃの案内溝１３から外れる。  
そして、左右の操作部２９をバネ３１の付勢力に抗しながら保持しつつ、図４に示すように、内障子７を室内側へ倒す。  
【００１９】
次に、本実施の形態にかかる上げ下げ窓１の作用効果について説明する。  
図１に示すように、ラッチボルト２７をハウジング２５から縦枠３ｃの案内溝１３内へ常時突出するように付勢するバネ３１は、ラッチボルト２７を押圧する作用点３１ｂに対して、支点３１ａがラッチボルト２７の移動領域Ｓからずれた位置に設けているので、ラッチボルト２７の移動領域Ｓ内で伸縮するコイルバネ等（移動領域内に支点と作用点を有するバネ）を配置する場合に比較して、縦框２１の見付Ｋ（図５参照）を細くできるから、框１５の内周側の採光面積を大きくできる。  
図２に示すように、ラッチボルト２７に一体形成した操作部２９は、ラッチボルト２７の没入時に縦框２１を越えて上框１７の上面をスライド移動するから、ラッチボルト２７を没入する為の操作部２９の移動範囲が縦框２１に限定されないので、これによっても縦框２１の見付Ｋを細くできるので、框１５の内周側の採光面積を大きくできる。  
【００２０】
内倒しラッチ２３は縦框２１の上端に取り付けてあり、操作部２９を操作するときには操作部２９は上框１７の上面を移動する構成であるから、上框１７に内倒しラッチ２３用の加工が不要なので、上框１７の設計が簡易であり且つ製造コストを安価にできると共に上框１７の加工部分を覆うキャップが不要なので上框１７の意匠に優れる。  
図６（ａ）に示すように、バネ３１の作用点３１ｂが当接するラッチボルト２７の後端部２７ｂには、バネ３１の一側部３２の延出方向に沿って傾斜した傾斜面２８が設けてあり、この傾斜面２８にバネ３１の一側部３２の側面を当接して作用点３１ｂとしてあるので、ラッチボルト２７の後端部２７ｂにバネ３１の一側部３２の端が食い込んで操作不良が生じるのを防止できる。  
図７に示すように、ハウジング２５において、ラッチボルト２７が移動する収納部３３には、ラッチボルト２７の後端部２７ｂの上側を覆う上遮蔽部３６ａと、下側を覆う下遮蔽部３６ｂが形成してあり、上遮蔽部３６ａと下遮蔽部３６ｂでラッチボルト２７の後端部２７ｂ及びこれに当接するバネ部分を隠しているので、意匠性が良い。また、上遮蔽部３６ａ及び下遮蔽部３６ｂによりバネ３１の作用点３１ｂがラッチボルト２７の後端部２７ｂから外れるのを防止できる。  
ラッチボルト２７の移動領域Ｓの側部が側部開口３３ａによりバネ装着部４１に開口してあり、この側部開口３３ａを通してバネ装着部４１に装着したバネ３１の作用点３１ｂをラッチボルト２７の後端部２７ｂの端面に設けた傾斜面２８に当接するようにしてあり、バネ装着部４１はその開口からバネ３１の支点３１ａをボス３７に装着するようにしてあるので、バネ装着部４１の開口からラッチボルト２７を付勢するバネ３１の装着が容易にできる。また、バネ装着部４１の開口はハウジング２５に取り付けた止水部材４５の蓋部４５ｂで塞ぐので、バネ３１の支点３１ａがボス３７から外れるのを防止できる。  
図１及び図６に示すように、ハウジング２５に止水部材４５を装着してあるから、外障子５と内障子７との召合せ部の止水性能を向上することができる。  
図２に示すように、ラッチボルト２７が没入した状態にあるときには、操作部２９の先端部２９ａが連通孔４０を覆う位置にあり、ラッチボルト２７が突出した状態にあるときには、操作部２９の後端部２９ｂが連通孔４０を塞ぐ位置になるので、操作部案内溝３８に形成された連通孔４０からラッチボルト収納部３３内にゴミや埃が溜まるのを防止できる。また、操作部２９がいずれの位置にあるときにも連通孔４０を塞ぐのでラッチボルト２７の後端部やバネ３１の作用点３１ｂが露出しないので意匠性が良い。  
【００２１】
本発明は、前述した実施の形態に限定されるものではなく、その要旨を逸脱しない範囲で種々変形可能である。  
例えば、請求項１に記載の発明においては、図１に示すように、バネ３１の支点３１ａは、作用点３１ｂに対して室外側に配置することに限らず、室内側に配置しても良いし、上側や下側に配置しても良い。  
バネ３１は、トーションコイルバネに限らず、一端部を支点３１ａとし他端部を作用点３１ｂとした板ばね等であっても良い。  
また、請求項２に記載の発明においては、バネ３１は、支点３１ａをラッチボルト２７の移動領域Ｓからずれた位置に配置することに限らず、例えば、コイルバネをラッチボルトの後端側に配置して、ラッチボルトの移動領域内に納める構成としても良い。  
請求項１及び２に記載の発明において、内倒しラッチ２３は、縦框２１の上端に取り付けていればよく、縦框２１の上端に取り付けた状態で一部が上框１７にかぶっている場合も含む。  
【符号の説明】
【００２２】
１    上げ下げ窓  
３    枠  
３ｃ  縦枠
７    内障子（障子）
１７  上框
２１  縦框
２３  内倒しラッチ
２５  ハウジング
２７  ラッチボルト
２７ｂ  後端部
２９  操作部
３１  バネ
３１ａ  支点
３１ｂ  作用点
Ｓ  移動領域
【図１】
2019132123.tif 000003
【図２】
2019132123.tif 000004
【図３】
2019132123.tif 000005
【図４】
2019132123.tif 000006
【図５】
2019132123.tif 000007
【図６】
2019132123.tif 000008
【図７】
2019132123.tif 000009
【図８】
2019132123.tif 000010
【図９】
2019132123.tif 000011
【図１０】
2019132123.tif 000012
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
障子と、枠と、内倒しラッチを備え、内倒しラッチは、縦框上端に取り付けてあり、ハウジングと、ラッチボルトと、ラッチボルトの出没を操作する操作部を有し、ハウジングは、ラッチボルト収納部を有し、ラッチボルトはラッチボルト収容部から縦枠内に常時突出するようにバネで付勢してあり、ハウジングの上面には操作部案内溝が形成してあり、ラッチボルト収容部と操作部案内溝の後端部が上下に連通しており、操作部は、ラッチボルトと一体に形成してあり、ラッチボルトを没入操作したときにハウジングから上框側に突出して上框上面を操作部案内溝に沿ってスライド移動するものであり、ラッチボルトの没入時には操作部の先端部で、ラッチボルトの突出時には操作部の後端部で、ラッチボルト収容部の上方を塞いでいることを特徴とする上げ下げ窓。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項１に記載の発明は、障子と、枠と、内倒しラッチを備え、内倒しラッチは、縦框上端に取り付けてあり、ハウジングと、ラッチボルトと、ラッチボルトの出没を操作する操作部を有し、ハウジングは、ラッチボルト収納部を有し、ラッチボルトはラッチボルト収容部から縦枠内に常時突出するようにバネで付勢してあり、ハウジングの上面には操作部案内溝が形成してあり、ラッチボルト収容部と操作部案内溝の後端部が上下に連通しており、操作部は、ラッチボルトと一体に形成してあり、ラッチボルトを没入操作したときにハウジングから上框側に突出して上框上面を操作部案内溝に沿ってスライド移動するものであり、ラッチボルトの没入時には操作部の先端部で、ラッチボルトの突出時には操作部の後端部で、ラッチボルト収容部の上方を塞いでいることを特徴とする上げ下げ窓である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項１に記載の発明によれば、ラッチボルトに一体形成した操作部は、ラッチボルトの没入時に縦框を越えて上框上面をスライド移動するから、ラッチボルトを没入する為の操作部の移動範囲が縦框に限定されないから、縦框の見付を細くできるので、框内周側の採光面積を大きくできる。